(57)【要約】【課題】グリル庫と、その前面にグリル扉を備えた加熱調理器において、グリル扉を幼児等がうっかり触っても熱くなく、且つお手入れ性を向上した加熱調理器を提供すること。【解決手段】グリル扉１は、前面を構成する耐熱性のガラス２と、ガラス２を保持する枠体３と、ガラス２との間に空気断熱層２４を確保するよう設けた遮熱板２２と、グリル扉１を開閉する際に持ち手となる把手４からなり、遮熱板２２を枠体３のグリル庫１５に臨んだ面に着脱自在に設けた。【選択図】図４
2011021815.tif 000002
【特許請求の範囲】
【請求項１】
外郭を構成する本体と、被加熱物である調理容器を載置するトッププレートと、前記トッププレートの下方に位置する加熱手段と、前記本体内に配設され魚等を加熱調理するグリル庫と、前記グリル庫の前面開口部を開閉自在に覆うグリル扉を備え、前記グリル扉は、前面を構成する耐熱性のガラスと、前記ガラスを保持する枠体と、前記ガラスとの間に空気断熱層となる空間を確保するよう設けた遮熱板と、前記グリル扉を開閉する際に持ち手となる把手からなり、前記ガラスはグリル庫内の調理物を確認するための覗き窓となる透明部を有し、前記遮熱板を枠体のグリル庫に臨んだ面に着脱自在に設けた加熱調理器。
【請求項２】
遮熱板と枠体とを着脱用螺子により着脱自在に締結する構成とし、前記着脱用螺子の頭部外周面に略等間隔の溝または凹凸形状を設けることにより、前記着脱用螺子を指先で着脱可能とした請求項１に記載の加熱調理器。
【請求項３】
遮熱板をドライバーやコインを用いて枠体から外せるよう着脱用螺子の頭部上面に−または＋形状の溝部を設けた請求項２に記載の加熱調理器。
【請求項４】
枠体に遮熱板との嵌合部を複数箇所設け、遮熱板を前記嵌合部に一方向からスライドすることにより保持する構成とした請求項１に記載の加熱調理器。
【請求項５】
遮熱板をステンレス鋼板にて形成した請求項１〜４のいずれか１項に記載の加熱調理器。
【請求項６】
遮熱板にフッ素塗装を施した請求項１〜５のいずれか１項に記載の加熱調理器。
【請求項７】
遮熱板に親水性コーティングを施した請求項１〜５のいずれか１項に記載の加熱調理器。
【請求項８】
遮熱板にホーロー処理を施した請求項１〜４のいずれか１項に記載の加熱調理器。
【発明の詳細な説明】
【技術分野】
【０００１】
本発明は、グリル庫と、その前面にグリル扉を備えた加熱調理器に関するものである。
【背景技術】
【０００２】
従来、この種の加熱調理器におけるグリル扉（前扉）は、内部の調理状態が確認できるよう覗き窓を設けたガラスと、調理物および調理物を載置する焼網および焼網を載置する受皿（水受皿）をグリル庫内に出し入れする際の持ち手となる把手と、枠体（窓枠）等により構成されているのが殆んどである。
【０００３】
また、加熱調理時のグリル庫内の熱気を遮るのは、このグリル扉が有するガラス一枚というものが一般的である（例えば、特許文献１参照）。
【０００４】
また、グリル庫内に温度検出手段を１つ以上備え、その温度情報を利用した自動調理制御手段により適度な焼き加減に自動で調理できる機能を備えたものがある。
【０００５】
その種のグリルで調理をおこなう場合は、まず、調理を自動で行うか手動で行うかを使用者が選択する。自動調理を選択した場合においては、使用者が調理中に調理物の焼き状態を確認しながら火力を調節したり、焼き上がりを確認して消火するといった操作が不要となる。
【先行技術文献】
【特許文献】
【０００６】
【特許文献１】特開平０９−１７８１９６号公報
【発明の概要】
【発明が解決しようとする課題】
【０００７】
しかしながら、前記従来の構成では、特にグリル扉の温度は、高温となるグリル庫からの熱気を受けて、熱くなるので、使用者に注意を促すために取扱説明書にその旨を記載したり、グリル扉に「高温注意」等の文字を印刷して注意を促すといった対策を講じるのが一般的であった。
【０００８】
しかしながら、前記従来の構成では、グリル扉前面はグリル庫内の調理状態が確認できるように覗き窓を設けたガラス製である場合が殆どであり、加熱調理中にはグリル庫から受ける熱が直接ガラス外面に伝わるため、グリル扉の中ではこの覗き窓の部分が最も熱くなりやすく注意を必要とするが、使用者の不注意による行動や文字の読めない幼児等が、グリル使用中あるいは使用直後のグリル扉が熱い時に触ってしまう可能性があるという課題を有していた。
【０００９】
また、グリル扉の中で特に汚れる部分は、加熱調理中に調理物から飛散した脂や油煙が付着しやすいグリル庫に面したガラス面およびその周囲の枠体部分であるが、従来の構成のお手入れ性については、グリル扉を加熱調理器本体から取り外してお手入れすることができるが、重量物であるガラスを有するグリル扉は重たく、また凹凸の多い形状でもあるため、お手入れ性に優れているとは言い難いものである。
【００１０】
また、グリル扉の覗き窓の利便性は、グリルに自動調理機能を有する加熱調理器においては、自動で適度な焼き加減に調理できるため、使用者が調理中にグリル扉の覗き窓から調理物の状態を確認する必要は特になく、手動調理においても調理物の状態確認のために
覗き窓から中を覗いた場合は、グリル庫内は比較的暗く且つ調理物からの油煙等により視界が悪い場合があり、覗き窓に近い調理物の手前側は状態を確認することができたとしても、全体を見渡すことは困難であり、使用者は覗き窓越しではなく一旦グリル扉を調理物が見える程度まで開けて直接確認することになり、覗き窓の利便性はさほど高いものではなく、使用者は覗き窓がなくても不便に感じない場合が多い。
【００１１】
本発明は、前記従来の課題を解決するもので、覗き窓の機能は失われるものの、グリル扉を使用者や幼児等がうっかり触っても熱くなく、さらにお手入れの際にグリル扉の最も汚れる部分のみを取り外してお手入れすることができる加熱調理器を提供することを目的とする。
【課題を解決するための手段】
【００１２】
前記従来の課題を解決するために、本発明の加熱調理器は、グリル庫の前面開口部を開閉自在に覆うグリル扉を備え、前記グリル扉は、前面を構成する耐熱性のガラスと、前記ガラスを保持する枠体と、前記ガラスとの間に空気断熱層となる空間を確保するよう設けた遮熱板と、前記グリル扉を開閉する際に持ち手となる把手からなり、前記ガラスはグリル庫内の調理物を確認するための覗き窓となる透明部を有し、前記遮熱板を枠体のグリル庫に臨んだ面に着脱自在に設けたものである。これによって、空気断熱層がグリル使用中および使用直後のグリル庫からの熱気を遮断することになり、グリル扉前面のガラスの温度上昇を抑制することができる。
【発明の効果】
【００１３】
本発明の加熱調理器は、グリル使用中あるいは使用直後のグリル扉前面の温度を大幅に下げることができるため、グリル扉を使用者や幼児等がうっかり触っても熱くなく、さらに、遮熱板を着脱自在とすることで、汚れやすい遮熱板のみを取り外してお手入れすることができる。
【図面の簡単な説明】
【００１４】
【図１】本発明の実施の形態１における加熱調理器の斜視図
【図２】本発明の実施の形態１における加熱調理器の主要構成部品を示す分解斜視図
【図３】本発明の実施の形態１における加熱調理器のグリル庫およびグリル扉の横断面図
【図４】本発明の実施の形態１における加熱調理器のグリル扉の横断面図
【図５】本発明の実施の形態１における加熱調理器のグリル扉の斜視図
【図６】本発明の実施の形態２における加熱調理器のグリル扉の斜視図
【図７】従来の加熱調理器のグリル扉の横断面図
【発明を実施するための形態】
【００１５】
第１の発明は、外郭を構成する本体と、被加熱物である調理容器を載置するトッププレートと、前記トッププレートの下方に位置する加熱手段と、前記本体内に配設され魚等を加熱調理するグリル庫と、前記グリル庫の前面開口部を開閉自在に覆うグリル扉を備え、前記グリル扉は、前面を構成する耐熱性のガラスと、前記ガラスを保持する枠体と、前記ガラスとの間に空気断熱層となる空間を確保するよう設けた遮熱板と、前記グリル扉を開閉する際に持ち手となる把手からなり、前記ガラスはグリル庫内の調理物を確認するための覗き窓となる透明部を有し、前記遮熱板を枠体のグリル庫に臨んだ面に着脱自在に設けたことにより、空気断熱層がグリル使用中および使用直後のグリル庫からの熱気を遮断することになり、グリル扉前面のガラスの温度上昇を抑制し、安全性を高めることができる。
【００１６】
第２の発明は、特に、第１の発明の遮熱板と枠体とを着脱用螺子により着脱自在に締結
する構成とし、前記着脱用螺子の頭部外周面に略等間隔の溝または凹凸形状を設けることにより、前記着脱用螺子を指先で着脱可能としたことにより、お手入れ時または覗き窓からグリル庫内を確認したい際、工具等を使用しなくても容易に着脱用螺子を着脱することができる。
【００１７】
第３の発明は、特に、第２の発明の遮熱板をドライバーやコインを用いて枠体から外せるよう着脱用螺子の頭部上面に−または＋形状の溝部を設けたことにより、調理物の脂等が着脱用螺子締結部に固着して指の力では着脱用螺子を外すのが困難となった場合に、ドライバーやコインを使用することにより着脱用螺子を外し易くすることができる。
【００１８】
第４の発明は、特に、第１の発明の枠体に遮熱板との嵌合部を複数箇所設け、遮熱板を前記嵌合部に一方向からスライドすることにより保持する構成としたことにより、より容易に遮熱板の着脱を行うことができる。
【００１９】
第５の発明は、特に、第１〜４のいずれか１つの発明の遮熱板をステンレス鋼板にて形成したことにより、遮熱板の腐食に対する耐久性を高めることができ、またステンレスは他の鋼板に比べ熱伝導率が小さいため、より効果的に遮熱することができる。主な鋼板の熱伝導率であるが、熱伝導率の大きなものより順に銅→アルミニウム→鉄→ステンレスとなる。
【００２０】
第６の発明は、特に、第１〜５のいずれか１つの発明の遮熱板にフッ素塗装を施したことにより、フッ素の非粘着性により遮熱板に汚れが付着しにくく、また、お手入れの際、汚れを容易に除去することができる。
【００２１】
第７の発明は、特に、第１〜５のいずれか１つの発明の遮熱板に親水性コーティングを施したことにより、遮熱板のお手入れの際、遮熱板を水中に浸けておけば汚れが浮き上がりやすくなるため、汚れを容易に除去することができる。
【００２２】
第８の発明は、特に、第１〜４のいずれか１つの発明の遮熱板にホーロー処理を施したことにより、遮熱板の腐食に対する耐久性をさらに高めるとともに美観を得ることができる。
【００２３】
以下、本発明の実施の形態について、図面を参照しながら説明する。なお、この実施の形態によって本発明が限定されるものではない。
【００２４】
（実施の形態１）
図１〜図５は、本発明の第１の実施の形態における加熱調理器を示すものである。
【００２５】
図１は、本発明の第１の実施の形態における加熱調理器の斜視図である。
図１において、本体９の上面には被加熱物である調理容器を載置するトッププレート１０が配されている。トッププレート１０の上面手前側には操作部１１が配されている。操作部１１には使用者が加熱運転や火力調節の操作を行うスイッチや機器の運転状態を表示する表示部等を有する制御回路等が収納されている。
【００２６】
図２は、本発明の第１の実施の形態における加熱調理器の主要構成部品を示す分解斜視図である。但し、実施の形態の説明に不要な構成部分については主要構成であっても省略している。
【００２７】
図２において、トッププレート１０の下方には加熱手段である誘導加熱コイル１２が設けられている。誘導加熱コイル１２には電源回路１３によって高周波電力が供給される。
誘導加熱コイル１２及び電源回路１３は冷却ファン１４の送風によって冷却される。
【００２８】
本体９内には略箱形状のグリル庫１５が配設されており、グリル庫１５内に発熱部を臨ませた上部ヒーター１６および下部ヒーター１７によって加熱調理を行なう。グリル庫１５内には、調理物を載せる焼網１８を載置した受皿１９が収納されている。
グリル庫１５の前面開口を覆うグリル扉１は受皿１９に嵌着されており、グリル扉１と受皿１９は連動して前後に摺動する。
【００２９】
グリル扉１は、前面を構成する耐熱性のガラス２と、ガラス２を保持する金属製の枠体３と、グリル扉１を開閉する際に持ち手となる把手４で構成されている。なお、本構成はグリル扉に関する一例を示すものであり、本発明がこの方式に限定されるものではない。
【００３０】
図３は、本発明の第１の実施の形態における加熱調理器のグリル庫およびグリル扉の横断面図である。
【００３１】
図３において、グリル庫１５内の温度を検出するための第１の温度検出手段２０がグリル庫１５内に臨んで取り付けられている。さらに受皿１９の温度を検出するための第２の温度検出手段２１がグリル庫１５の底面に取り付けられている。これらの温度検出手段から得られる温度情報と自動調理制御手段（  図示せず）によって、自動で適度な焼き加減に調理できる自動調理を可能としている。
【００３２】
図４は、本発明の第１の実施の形態における加熱調理器のグリル扉の横断面図である。図５は、本発明の第１の実施の形態における加熱調理器のグリル扉の斜視図である。
【００３３】
図４、図５において、グリル扉１前面を構成する耐熱性のガラス２が枠体３と把手４により保持されており、枠体３と把手４は螺子５にて締結されている。
【００３４】
覗き窓となるガラス２の透明部６に対向した枠体３は開口しており、開口７周囲の窓枠８によってもガラス２を保持する構成としている。枠体３のグリル庫１５に面した側にはステンレス鋼板等で形成された遮熱板２２が着脱用螺子２３にて着脱自在に締結されており、ガラス２と遮熱板２２との間には空気断熱層２４が設けられている。
【００３５】
遮熱板２２にはフッ素塗装や親水性のコーティングやホーロー処理等の表面処理が施される場合もある。着脱用螺子２３の頭部外周面には、指先で着脱用螺子２３を着脱する際の滑り止めとなる略等間隔の溝または凹凸形状が形成されている。
【００３６】
さらに頭部上面にはドライバーやコインを使用して着脱用螺子２３を着脱できるよう、−または＋形状の溝部が形成されている。
【００３７】
以上のように構成された加熱調理器について、以下その動作、作用を説明する。
【００３８】
まず、加熱調理時のグリル扉の温度は、従来の構成（図７）では、ガラス２のグリル庫１５に臨んだ面は、グリル調理中に上部ヒーター１６および下部ヒーター１７の加熱によって約３００℃に上昇したグリル庫１５内の熱気を直接受けるため、一般的にガラス２の外面温度は最も高い部分で１５０℃前後となっていた。
【００３９】
しかしながら、図４に示す実施の形態の構成によれば、ガラス２の庫内側と遮熱板２２との間に空気断熱層２４を形成しているため、その断熱効果によってガラス２の温度上昇が抑制され、奥行き約１０ｍｍの空気断熱層２４を設けた場合、ガラス２の外面側は８０℃以下に抑えられることが実験で確認されている。
【００４０】
なお、この温度上昇値については、実験によって得られた値の一例であり、この数字によって本発明の効果が制限を受けるものではない。
【００４１】
本実施の形態によると、より安全性の高い加熱調理器を提供することができるが、遮熱板２２によってガラス２の透明部６が遮蔽されるためグリル庫１５内を覗き見ることができない。
【００４２】
しかしながら、自動調理の際には庫内の状態を確認する必要はなく、また、手動調理においてもグリル扉１を開けて調理物を確認する方がよりはっきりと状態を把握することができるため、グリル扉１に覗き窓がなくても使い勝手をさほど阻害するものではない。
【００４３】
どうしてもグリル扉１の覗き窓越しに庫内を確認する必要がある場合は、調理を開始する前にあらかじめ遮熱板２２を取り外しておくことになる。遮熱板２２を取り外すと従来のグリル扉１とほぼ同じ構成となるため、従来通りガラス２に触れないよう注意が必要となる。
【００４４】
また、遮熱板２２は庫内に面しているため、調理物からの脂の飛散等を受け、グリル扉１の中で特に汚れる部分であるが、本発明によると、遮熱板２２のみを外して洗うことができるため、お手入れ性が向上する。
【００４５】
食器洗い乾燥器や食器乾燥器にてお手入れする際でも、遮熱板２２のみであればかさばらないため、食器洗い乾燥器等に少しの空間があれば入れることができる。
【００４６】
さらに、遮熱板２２に表面処理を施すことによって、お手入れ性がより向上するものである。例えばフッ素塗装を施せば、その非粘性によって遮熱板２２に汚れが付着しにくく、汚れた場合でも容易に除去することができる。
【００４７】
また、親水性のコーティングを施せば、遮熱板２２を水中に浸けておくことで汚れが浮き上がりやすくなるため、汚れを容易に除去することができる。また、遮熱板２２にホーロー処理を施せば、耐久性に優れ、且つ美観を得ることができる。
【００４８】
（実施の形態２）
図６は、本発明の第２の実施の形態における加熱調理器のグリル扉の斜視図である。
【００４９】
図６において、枠体３に遮熱板２２端部が嵌合するガイドが複数設けられている。遮熱板２２を上方から横ガイド２５に沿わせてスライドし、下ガイド２６に当接させることで遮熱板２２は位置決め保持される。
【００５０】
遮熱板２２を取り外す際には、遮熱板２２を上方向へスライドすればよい。以上の構成によって、遮熱板２２の着脱をより容易に行うことができる。
【産業上の利用可能性】
【００５１】
以上のように、本発明にかかる加熱調理器は、グリル庫とグリル扉を備えた加熱調理器において、グリル扉を使用者や幼児等がうっかり触っても熱くなく、また、グリル扉のお手入れ性を向上させた加熱調理器を提供することが可能となるので、グリルの加熱手段やグリル以外の調理機能に係わらず、グリルを有する加熱調理器全般に有効である。
【符号の説明】
【００５２】
１  グリル扉
２  ガラス
３  枠体
４  把手
６  透明部（覗き窓）
９  本体
１０  トッププレート
１２  誘導加熱コイル（加熱手段）
１５  グリル庫
２２  遮熱板
２３  着脱用螺子
２４  空気断熱層
２５  横ガイド（嵌合部）
２６  下ガイド（嵌合部）
【図１】
2011021815.tif 000003
【図２】
2011021815.tif 000004
【図３】
2011021815.tif 000005
【図４】
2011021815.tif 000006
【図５】
2011021815.tif 000007
【図６】
2011021815.tif 000008
【図７】
2011021815.tif 000009